(57)【特許請求の範囲】
【請求項１】
入場及び出場の両方に用いられる自動改札機において、
利用者を検知する人間検知機能のＯＮ・ＯＦＦに係わらず、前記自動改札機の本体の投入口に入場用の乗車券が投入されたときに、出場用の乗車券の投入を阻止し、その自動改札機の本体の取出口からその投入された乗車券が抜き取られたときに、出場用の乗車券の投入を可能とする制御手段を設けたことを特徴とする自動改札機。
【請求項２】
入場及び出場の両方に用いられる自動改札機において、
利用者を検知する人間検知機能のＯＮ・ＯＦＦに係わらず、前記自動改札機の本体の投入口に出場用の乗車券が投入されたときに、入場用の乗車券の投入を阻止し、その自動改札機の本体の取出口からその投入された乗車券が抜き取られたときに、又は、その投入された乗車券の集札が終了したときに、入場用の乗車券の投入を可能とする制御手段を設けたことを特徴とする自動改札機。
【請求項３】
入場及び出場の両方に用いられる自動改札機において、
利用者を検知する人間検知機能のＯＮ・ＯＦＦに係わらず、前記自動改札機の本体のアンテナに入場用の非接触券がかざされ、又は、タッチされたときに、出場用の非接触券の処理を禁止し、その非接触券に対する入場処理が終了したときに、出場用の非接触券の処理を可能とすることを特徴とする自動改札機。
【請求項４】
入場及び出場の両方に用いられる自動改札機において、
利用者を検知する人間検知機能のＯＮ・ＯＦＦに係わらず、前記自動改札機の本体のアンテナに出場用の非接触券がかざされ、又は、タッチされたときに、入場用の非接触券の処理を禁止し、その非接触券に対する出場処理が終了したときに、入場用の非接触券の処理を可能とすることを特徴とする自動改札機。
【発明の詳細な説明】
【０００１】
【発明の属する技術分野】
本発明は自動改札機に係り、特に、入場及び出場の両方に用いられる両用型の自動改札機に関する。
【０００２】
【従来の技術】
従来、両用型の自動改札機は、その自動改札機の本体（以下、「本体」という。）の投入口に入場用の乗車券が投入されると、出場側の投入口のシャッタが閉となり、その入場の利用者（旅客）が改札通路を通過し、又は、タイマの一定時間のタイムアウトでシャッタが開となって出場処理が可能となるように制御されている。また、本体の投入口に出場用の乗車券が投入されたとき、入場側の投入口のシャッタも、上述の出場用のシャッタと同様に制御されている。
【０００３】
また、本体が無人駅に設置される場合、本体は、乗車券に入出場（入場又は出場を意味している。）のデータをエンコードするための機器としてのみ用いるため、人間検知機能をＯＦＦとするとともに、ドアの開閉機能もＯＦＦとして運転されている。この場合、一方（例えば入場）が使用されたとき、他方（例えば出場）は、タイマの一定時間のタイムアウトで使用可能となる。
【０００４】
【発明が解決しようとする課題】
しかしながら、上記従来の自動改札機において、他方の処理がタイマの一定時間のタイムアウトで可能となるように制御されると、そのタイムアウトまで処理ができず、改札通路の流動が阻害されるという欠点があった。
【０００５】
そこで、本発明は、上記欠点を解決するためになされたものであって、その目的は、流動阻害を未然に防止することのできる自動改札機を提供することにある。
【０００６】
【課題を解決するための手段】
本発明による請求項１に係る自動改札機は、上記目的を達成するために、入場及び出場の両方に用いられる自動改札機において、利用者を検知する人間検知機能のＯＮ・ＯＦＦに係わらず、前記自動改札機の本体の投入口に入場用の乗車券が投入されたときに、出場用の乗車券の投入を阻止し、その自動改札機の本体の取出口からその投入された乗車券が抜き取られたときに、出場用の乗車券の投入を可能とする制御手段を設けたことを特徴としている。
【０００７】
本発明による請求項２に係る自動改札機は、上記目的を達成するために、入場及び出場の両方に用いられる自動改札機において、利用者を検知する人間検知機能のＯＮ・ＯＦＦに係わらず、前記自動改札機の本体の投入口に出場用の乗車券が投入されたときに、入場用の乗車券の投入を阻止し、その自動改札機の本体の取出口からその投入された乗車券が抜き取られたときに、又は、その投入された乗車券の集札が終了したときに、入場用の乗車券の投入を可能とする制御手段を設けたことを特徴としている。
【０００８】
本発明による請求項３に係る自動改札機は、上記目的を達成するために、入場及び出場の両方に用いられる自動改札機において、利用者を検知する人間検知機能のＯＮ・ＯＦＦに係わらず、前記自動改札機の本体のアンテナに入場用の非接触券がかざされ、又は、タッチされたときに、出場用の非接触券の処理を禁止し、その非接触券に対する入場処理が終了したときに、出場用の非接触券の処理を可能とすることを特徴としている。
【０００９】
本発明による請求項４に係る自動改札機は、上記目的を達成するために、入場及び出場の両方に用いられる自動改札機において、利用者を検知する人間検知機能のＯＮ・ＯＦＦに係わらず、前記自動改札機の本体のアンテナに出場用の非接触券がかざされ、又は、タッチされたときに、入場用の非接触券の処理を禁止し、その非接触券に対する出場処理が終了したときに、入場用の非接触券の処理を可能とすることを特徴としている。
【００１０】
【発明の実施の形態】
以下、本発明の実施の形態を図面に基づいて説明する。図１は、一実施の形態に係る自動改札機の平面図である。本体Ｇは、改札通路Ｐを挾んで設けられる一対の筐体Ｇ1 ，Ｇ2 により構成されている。
【００１１】
筐体Ｇ1 の入口側上面には、普通乗車券や定期券の磁気券からなる入場用の乗車券（図示せず）の投入口１ａ及び無線通信機能を備えたＩＣカードからなる非接触券（図示せず）と交信するためのアンテナａ1 が設けられている。また、その筐体Ｇ1 の出口側上面には、投入された乗車券を利用者へ返却するための取出口２ａが設けられている。
【００１２】
筐体Ｇ2 の入口側上面には、出場用の乗車券の投入口１ｂ及び非接触券と交信するためのアンテナａ2 が設けられている。また、その筐体Ｇ2 の出口側上面には、投入された乗車券を利用者へ返却するための取出口２ｂが設けられている。
【００１３】
図２は、本体Ｇを統括的に制御する制御器Ｃの概略構成を示すブロック図であって、ＲＯＭ１０に格納されているシステムプログラム及びＲＡＭ１１に格納されているワーキングデータを用いて入出場用の演算処理を行う中央処理部（ＣＰＵ）１２を有している。
【００１４】
このＣＰＵ１２には、Ｉ／Ｏユニット１３を介して投入口１ａ，１ｂから投入された乗車券に記録されているデータを読取るとともに、その投入された乗車券に新たなデータを書込むための磁気券処理ユニット１４と、アンテナａ1 ，ａ2 にかざされ、又は、アンテナａ1 ，ａ2 に軽くタッチされた非接触券とデータ授受を行うための非接触券処理ユニット（リーダライタ）１５とが接続されている。なお、Ｉ／Ｏユニット１３には、投入口１ａ，１ｂに設けられている図示しないシャッタを駆動するためのソレノイドドライバや人間検知ユニット、あるいは、ドア駆動ユニット等も接続されているが、ここでは省略されている。
【００１５】
以下、図３（ａ），（ｂ）のフローチャートを用いて制御動作について説明する。今、本体Ｇは、無人駅に設置されていて、人間検知機能及びドア開閉機能がＯＦＦとされ（ドアが常開とされ）、本体Ｇはエンコーダとして機能しているものとする。
【００１６】
投入口１ａに入場用の乗車券が投入されると（ステップ１００肯定。以下、ステップを「Ｓ」とする。）、反対側の出場用の投入口１ｂに設けられているシャッタ（図示せず）が閉とされる（Ｓ１０２）。したがって、出場側の処理は中止とされる。
【００１７】
投入口１ａに投入された乗車券に対して磁気券処理ユニット１４により新たなデータ（入場データ）が書込まれた後、取出口２ａに排出され、その排出された乗車券が抜き取られると（Ｓ１０４肯定）、出場側の投入口１ｂに設けられているシャッタが開となり、出場処理が可能となる（Ｓ１０６）。なお、図３（ａ）のフローチャートにおいて、カッコ内は、出場用の投入口１ｂに先に乗車券が投入されたときの制御動作を示している。この場合、乗車券が定期券の場合は、取出口２ｂに排出されて利用者へ返却され、普通乗車券の場合は、本体Ｇ内に回収されて集札される。
【００１８】
図３（ｂ）は、非接触券のときの制御動作を示している。すなわち、入場用のアンテナａ1 に非接触券がかざされ、又は、軽くタッチされると（Ｓ２００肯定）、反対側の出場用のアンテナａ2 による交信が禁止される（Ｓ２０２）。したがって、出場側の処理は中止とされる。
【００１９】
アンテナａ1 にかざされ、又は、軽くタッチされた非接触券に対して非接触券処理ユニット１５により新たなデータ（入場データ）が書込まれて入場処理が終了すると（Ｓ２０４肯定）、出場側のアンテナａ2 による出場処理が可能となる（Ｓ２０６）。なお、図３（ｂ）のフローチャートにおいて、カッコ内は、出場用のアンテナａ2 に先に非接触券がかざされ、又は、軽くタッチされたときの制御動作を示している。
【００２０】
【発明の効果】
本発明による請求項１に係る自動改札機は、入場及び出場の両方に用いられる自動改札機において、利用者を検知する人間検知機能のＯＮ・ＯＦＦに係わらず、前記自動改札機の本体の投入口に入場用の乗車券が投入されたときに、出場用の乗車券の投入を阻止し、その自動改札機の本体の取出口からその投入された乗車券が抜き取られたときに、出場用の乗車券の投入を可能とする制御手段を設けたので、無人駅に設置され人間検知機能がＯＦＦされた場合であっても、改札通路の流動阻害を効果的に防止することができる。
【００２１】
本発明による請求項２に係る自動改札機は、入場及び出場の両方に用いられる自動改札機において、利用者を検知する人間検知機能のＯＮ・ＯＦＦに係わらず、前記自動改札機の本体の投入口に出場用の乗車券が投入されたときに、入場用の乗車券の投入を阻止し、その自動改札機の本体の取出口からその投入された乗車券が抜き取られたときに、又は、その投入された乗車券の集札が終了したときに、入場用の乗車券の投入を可能とする制御手段を設けたので、無人駅に設置され人間検知機能がＯＦＦされた場合であっても、改札通路の流動阻害を効果的に防止することができる。
【００２２】
本発明による請求項３に係る自動改札機は、入場及び出場の両方に用いられる自動改札機において、利用者を検知する人間検知機能のＯＮ・ＯＦＦに係わらず、前記自動改札機の本体のアンテナに入場用の非接触券がかざされ、又は、タッチされたときに、出場用の非接触券の処理を禁止し、その非接触券に対する入場処理が終了したときに、出場用の非接触券の処理を可能とするので、無人駅に設置され人間検知機能がＯＦＦされた場合であっても、改札通路の流動阻害を効果的に防止することができる。
【００２３】
本発明による請求項４に係る自動改札機は、入場及び出場の両方に用いられる自動改札機において、利用者を検知する人間検知機能のＯＮ・ＯＦＦに係わらず、前記自動改札機の本体のアンテナに出場用の非接触券がかざされ、又は、タッチされたときに、入場用の非接触券の処理を禁止し、その非接触券に対する出場処理が終了したときに、入場用の非接触券の処理を可能とするので、無人駅に設置され人間検知機能がＯＦＦされた場合であっても、改札通路の流動阻害を効果的に防止することができる。
【図面の簡単な説明】
【図１】本発明の一実施の形態に係る自動改札機の平面図である。
【図２】制御器の電気的構成を示すブロック図である。
【図３】制御動作を示すフローチャートである。
【符号の説明】
Ｇ  自動改札機の本体（本体）
Ｇ1 ，Ｇ2   筐体
１ａ，１ｂ  投入口
２ａ，２ｂ  取出口
ａ1 ，ａ2   アンテナ
Ｐ  改札通路
Ｃ  制御器
【図１】
0004743988.tif 000002
【図２】
0004743988.tif 000003
【図３】
0004743988.tif 000004